(57)【要約】【課題】前面の操作パネルの美観を損なうことなく、かつ不用意に引き出されることを防止できる電池ケースを備えるビルトイン式コンロを提供する。【解決手段】電池ケース１５を引き出すための手掛けが電池ケースの底板に形成され、電池ケース１５及び引き出し型収納庫５がビルトイン式コンロ１のバーナ本体部２に収納された状態では前記電池ケース１５の手掛けは引き出し型収納庫５により覆われて電池ケース１５を引き出すことができず、引き出し型収納庫５を引き出した状態においてのみ電池ケース１５の手掛けを用いて電池ケース１５を引き出すことができるように構成される。【選択図】  図２
2004286274.tif 000002
【特許請求の範囲】
【請求項１】
キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記加熱バーナスペースを囲むバーナ本体部の前面に装着される操作パネルの下縁に引き出し可能な電池ケースを操作パネル面と面一に備え、該電池ケースに設けられる引き出し操作のための手掛け部が前記収納スペースに設けられる引き出し型収納庫の引き出しの前面パネルにより引出し操作不能に隠されてなることを特徴とするビルトイン式コンロ。
【発明の詳細な説明】
【０００１】
【発明が属する技術分野】
本発明はキッチンユニットのカウンタに落とし込み式に組み込んで一体的に収納されるビルトイン式コンロに関し、更に詳しくは、ビルトイン式コンロの制御等のための電源として操作パネルに備え付けられ、操作パネル前面から開閉可能な電池ケースの組み付け構造に関する。
【０００２】
【従来の技術】
ビルトイン式コンロに配設される電池ケース及び電池ケースを収納するための構造としては、例えば、前面から蓋付の電池ケースを前面側から引き出し可能に収容ケース内に収納し、付勢バネがこの電池ケースを引き出す方向に付勢すると共に、この付勢バネの付勢力に抗して電池ケースを所定の収納位置に係合して保持するストッパーを備え、このストッパーに一体に形成される弾性変形可能な操作つまみにより電池ケースと収納ケースとの係合を解除して電池ケースを取り出す構成が提案されている（特許文献１参照）。
【０００３】
このような構成によれば、電池ケースは合成樹脂から一体に形成されるため、形成が容易で部品点数を少なくすることができ、製造コストを下げて安価に提供することができる。また、電池ケースを引き出す場合には、操作パネルを弾性変形させることにより係合部を解除するものであるため操作性に優れるという利点を有する。
【０００４】
しかしながら、上記構成を有する電池ケースでは、電池ケースの前面の操作つまみなど、引き出し操作のための構造物を配設する必要があり、構造が複雑となるとともに操作パネルの外観上の美観を損なうという欠点があった。また、電池ケース前面にある操作つまみを操作することで電池ケースを引き出すことができるため、子供がいたずらするなど、必要のない時に不用意に電池ケースを引き出されることもあった。
【０００５】
【特許文献１】
特開平８−２７３６４１号公報
【０００６】
【発明が解決しようとする課題】
このような課題を解決するため、本発明はビルトイン式コンロの電池ケースの構造を単純化すると同時に、外観上の美観を向上させることができ、しかも不用意に引き出されることを防止できる電池ケースを備えるビルトイン式コンロを提供するものである。
【０００７】
【課題を解決するための手段】
前記課題を解決するため、請求項１に記載の発明は、キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記加熱バーナスペースを囲むバーナ本体部の前面に装着される操作パネルの下縁に引き出し可能な電池ケースを操作パネル面と面一に備え、該電池ケースに設けられる引き出し操作のための手掛け部が前記収納スペースに設けられる引き出し型収納庫の引き出しの前面パネルにより引出し操作不能に隠されてなることを要旨とするものである。
【０００８】
かかる構成によれば、収納スペース内に引き出し型収納庫を収納したときには、電池ケースの手掛け部が引き出し型収納庫の前面パネルに隠されるため、電池ケースを引き出すことができなくなる。一方、引き出し型収納庫を引き出したときには、電池ケースの手掛け部に指先を掛けることができて電池ケースを引き出し、電池の交換等を行うことができる。このため、ビルトイン式コンロを使用中に不用意に電池ケースが引き出されることが防止できると共に、電池ケースの前面には電池ケースの手掛け部などの構造物が不要で、電池ケースの前面を含めて見栄えの良い操作パネルの美観を呈することもできる。
【０００９】
【発明の実施の形態】
以下に本発明の一実施の形態について、図面を参照して詳細に説明する。図１は本発明に係るビルトイン式コンロの外観斜視図である。図に示したビルトイン式コンロ（調理用ガステーブルコンロ）１は、キッチンユニットのカウンタに落とし込み式に組み込んで一体的に収納されるもので、カウンタトップに設けられる四角形状の取付孔に落とし込み、左右に張り出させたトッププレート３をその取付孔の内周縁状上に係止させることにより、キッチンユニットのカウンタに一体で収納されてなるものである。
【００１０】
このビルトイン式コンロ１は、トッププレート３の上面に右コンロ７、左コンロ８、奥コンロ９を有し、各コンロ上には五徳が設けられる。そしてトッププレート３の下面には各コンロのガスバーナの収容スペースを有する方形枠形状のバーナ本体部２を備え、更にその下面には取付アングル４により形成される収納スペースを備え、前記バーナ本体部２の前面には操作パネル６が装着されて各コンロのバーナ点火用操作つまみ１０、１１、１２が取り付けられ、このコンロを使用するに際してタイマー設定などの各種機能を選択操作できる機能選択操作部１４、及び各種電気制御等の電源電池が収納される電池ケース１５がその操作パネル６に切り欠きが形成されてその切り欠きに収納され、操作パネル６の前面と面一に備え付けられている。また、前記機能選択操作部１４は、プッシュ式に操作パネル６面から前面へパネル面が飛び出し、そのパネル面の各操作ボタンを押すことにより各機能を操作できるようになっている。
【００１１】
図２は本発明に係るビルトイン式コンロに配設される電池ケース１５の外観斜視図であり、（ａ）は後方斜め上から見た図、（ｂ）は前方斜め上から見た図、（ｃ）は前方斜め下側から見た図である。これらの図に示されるように、電池ケース１５は上部が開口した略箱形状の部材であり、合成樹脂などから一体に形成される。
【００１２】
底板３０、側板３１、後板３２及び前板３３で囲まれる領域は、例えば単一型乾電池２個を並列に収納できる大きさに形成される。そして乾電池の収納が容易なように、底板３０の中心に仕切り板３５が形成され、底板３０から側板３１にかけて、及び底板３０から仕切板３５にかけては電池の外形に合わせた形状のガイド部材３６が形成され、底板３０には乾電池を収納する向きを視覚的に理解できるよう、模式的に示した図柄３７が陽刻されて表されている。また、電池ケース１５の側板３１は上部から切り欠き３８が形成されており、電池の取替え時において電池を取り出しやすくなるよう構成される。
【００１３】
電池ケース１５の前板３３及び後板３２の内面側には電極部材（図示せず）が配設され、後板３２に配設される電極部材は制御基板（図示せず）に電力を供給する導線が結線され、前板３３に配設される電極部材は収納される電池の電極どうしを電気的に接続するように構成される。これにより電池ケース１５に収納される２個の乾電池は電気的に直列接続され、電池の電力が制御基板に送られる。
【００１４】
両側板３１、３１の後端は後板３２から突出するように形成され、突出している箇所にはそれぞれ２本のスリット状の切り欠き４３、４４が形成され、該２本の切り欠き４３、４４の間に弾性係合部４５が形成される。弾性係合部４５の先端（電池ケース１５全体で見ると後端）には係合片４６が形成される。係合片４６は弾性係合部４５の先端から徐々に肉厚が増大する三角形状を有し、係合片４６の後端は側板３１に対し略直角の段差が形成される。
【００１５】
側板３１の前記突出する部分のうち、切り欠き４３の上側及び切り欠き４４の下側の弾性係合部４５ではない部分には、それぞれ補強リブ４７が形成されて強度が向上させてあり、弾性係合部４５を上下から挟むように保護し、何らかの原因で外部から力が加わった場合において破壊を防止する。
【００１６】
電池ケース１５の前端に形成される飾り板３４は、その形状はビルトイン式コンロ１の操作パネル６に形成される電池ケース１５が備え付けられる箇所の切り欠きと略同一の形状であり、その寸法は滑らかに引き出し又は収納ができる程度の隙間を有するように小さく形成される。
【００１７】
飾り板３４と前板３３との間は、両側板３１、３１の下辺に切り欠き４８が形成されると共に底板３０には開口部４９が形成される。この切り欠き４８及び開口部４９が電池ケース１５の手掛け部となる。この開口部の大きさ、すなわち飾り板３４と前板３３との間隔は、電池ケース１５を引き出す際に指先を掛けることができる程度の大きさに形成される。
【００１８】
図３は電池ケース収納部材及び電池ケース１５の外観斜視図である。電池ケース収納部材５０は筒状の部材であり、例えば金属板材から切断・曲げ加工により形成されるか、合成樹脂等から一体に形成される。電池ケース収納部材５０の内部は、電池ケース１５が収納可能な寸法・形状を有し、内部の幅方向寸法は、電池ケース１５の側板に形成される突条３９の上面間の幅寸法より大きく、弾性係合部４５に形成される係合片４６の先端間の幅寸法より小さく形成される。電池ケース収納部材５０の前面側端部にはビルトイン式コンロ１の操作パネル６の裏面に取り付けるための鍔部５１が形成される。また、底板には前面側近傍に手掛け用の切り欠き５５が、両側板には前後方向に長い開口部５３が形成される。
【００１９】
このような構成を有する電池ケース収納部材５０及び電池ケース１５のビルトイン式コンロ１のバーナ本体部２への組み付けは次のようにして行われる。まず、電池ケース収納部材５０をビルトイン式コンロ１の操作パネル６に内側にネジなどにより固定する。その後、電池ケース１５を操作パネル６の前面の外側から電池ケース収納部材５０内に挿入する。この場合、電池ケース収納部材５０の開口幅は電池ケースの弾性係合部４５に形成される係合爪４６の先端間の幅寸法より小さく形成されることから、弾性係合部４５が弾性変形して電池ケース収納部材５０内に挿入される。そして係合片４６が電池ケース収納部材５０の側板に形成される開口部５３に到達すると、弾性係合部材は元の形状に戻る。そして飾り板３４の前面側が操作パネル前面と一致する位置まで挿入する。この場合、飾り板３４の前面側が操作パネル前面と面一となるよう、例えば操作パネル６の切り欠きの内周面に突起や段差を形成するなどして電池ケース１５の飾り板３４の前面が操作パネル６の前面より奥に入り込まないように規制される。
【００２０】
電池ケース１５が電池ケース収納部材５０に収納された状態では、電池ケース１５の飾り板３４の下辺は露出しており、電池ケース１５の底板３０に形成される開口部４９も電池ケース収納部材５０の底板前面近傍に切り欠きから露出している。従ってこの開口部４９に指先を掛けて電池ケースを引き出すことが可能である。尚、電池ケース１５の飾り板３４の下辺は、電池ケース１５が電池ケース収納部材５０に収納された状態で操作パネル６の下辺が一致するように設計されてなる。
【００２１】
バーナ本体部２の下部の収納スペースに収納される引き出し型収納庫５は、図４にその外観斜視図、図５に分解斜視図を示したように、金属板の板金加工により形成される上面が開口した略箱形形状の収納庫本体６０の前面に収納庫前面パネル６１が装着されるもので、収納庫前面パネル６１は、金属板の板金加工により形成される引き出しパネル部材６２と、この引き出しパネル部材６２がスライド式に係合されるパネル裏板部材６３、及び引き出しパネル部材６２とパネル裏板部材６３との係合両端面に弾発性をもって装着されるモール部材６４とにより構成される。
【００２２】
引き出し型収納庫５の収納庫本体６０は、上面及び前面側が開口し、底板９０、側板９１、後板９２から構成される底の浅い略箱状の部材であり、金属板材から板金加工により形成される。側板９１には収納庫の内側面に取り付けられるガイドローラ（図示せず）によってスライドされるガイド部材６５を取り付けるためのガイド部材取付孔９３が形成されると共に、両側板９１、９１の引き出し側付近にはパネル取付金具６６を取り付けるための金具取付孔９４、９４が形成される。また、両側板９１、９１及び後板９２の上端には強度確保及び使用時の安全を確保するため折返し９５が形成される。そしてこの収納庫前面パネル６１はパネル取付金具６６を収納庫本体６０の両側板９１、９１に外側からネジ６８止めすることにより収納庫本体６０の前面に取付けされる。
【００２３】
前記引き出しパネル部材６２は、例えばステンレス板の折曲加工により上辺及び下辺がそれぞれ後面側にほぼ直角に折り曲げられた上折曲辺７１及び下折曲辺７２が形成され、更にその上折曲辺７１及び下折曲辺７２の後端が更に直角に折り曲げられて前記パネル裏板部材６３をスライド式に装着し係止させる係止片７３、７３が形成される。また引き出しパネル部材６２にはやはりプレス折り曲げ加工により長手方向の左右全幅に亘り指先を引っ掛けて引き出すことができるよう前面パネル側が開口した断面略平行四辺形状の凹窪み枠状の手掛け部７５が形成される。この手掛け部７５の裏側面と前記係止片７３、７３の内側面の位置はパネル裏板部材６３がこの引き出しパネル部材６２の手掛け部７５の背面にがたつき無く当接可能なように、ほぼ一致するように寸法設計される。
【００２４】
前記パネル裏板部材６３は、長方形の板金の上辺にあたる一長辺が直角に折り曲げられ、前記引き出しパネル部材６２の上折曲辺７１及び係止片７３の部分に係合される係合片７６が一体に形成される。該係合片７６の幅は前記引き出しパネル部材６２の上折曲辺７１の幅より僅かに小さく、引き出しパネル部材６２の前面と係止片７３との間に挿入可能な寸法を有する。また、このパネル裏板部材６３の四隅近傍には、収納庫本体６０の前面にこの収納庫前面パネル６１を取り付けるためのパネル取付金具６６を装着するための取付孔７８が形成される。
【００２５】
パネル取付金具６６及び押さえ板６７は何れも金属板材から一体に形成される部材である。パネル取付金具６６はアングル状の部材であり、パネル裏板部材６３と当接して固定する面１０１と、収納庫本体６０に当接して固定する面１００とから構成され、各面１００、１０１には取付孔１０２、１０３が形成される。なお、パネル裏板部材６３と当接して固定する面１０１に形成される取付孔１０３は普通の貫通孔であるが、収納庫本体６０に当接して固定する面１００に形成される取付孔１０２はアングルの外側へ向かって張り出すバーリング孔である。また、押さえ板６７は略方形の板材であり、その略中央には貫通孔である取付孔１０４が形成される。
【００２６】
図６はモール部材の外観斜視図であり、（ａ）は裏面側から見た図、（ｂ）は前面側から見た図である。モール部材６４は弾発性を有する合成樹脂による一体成型品であって、その長辺は前記引き出しパネル部材６２の高さ方向の寸法に、短辺は引き出しパネル部材６２の上折曲辺７１及び下折曲辺７２の幅方向寸法それぞれ略同一に形成される。そして、両短辺及び長辺の両端近傍にかけて、外縁から引き出しパネル部材６２を形成する板材の厚さ分だけ内側に略「コ」の字状の第１挿入部８５が立設される。該第１挿入部８５には先端近傍に係止片８７が突設される。また、長辺の中央付近にも断面が略「コ」の字状の第２挿入部８６が対向するように形成される。
【００２７】
これら部材から構成される収納庫前面パネル６１の組み付けは次のようにして行われる。まず引き出しパネル部材６２をパネル裏板部材６３にスライドさせるように係合する。この際、引き出しパネル部材６２の手掛け部７５の背面がパネル裏板部材６３に当接し、引き出しパネル部材６２の係止片７３の内面がパネル裏板部材６３の上下両長辺に係止するため、引き出しパネル部材６２がパネル裏板部材６３に仮固定される。これにより引き出しパネル部材６２とパネル裏板部材６３とにより断面が長方形の筒が形成される。
【００２８】
その後筒状となったの両端の開口部にモール部材６４を挿入し、モール部材６４に形成される係止片８７をパネル裏板部材６３に形成される係止孔７７と係合させる。これによりモール部材６４はパネル裏板部材６３から抜脱不能に固定されると共に、各挿入部８５、８６が引き出しパネル部材６２とパネル裏板部材６３に当接して変形が防止される。これにより、ネジ等を用いる必要がなく、引き出しパネル部材６２、パネル裏板部材６３、モール部材６４が一体的に組み付けられて収納庫前面パネル６１が形成される。
【００２９】
そして図７に示すように、パネル取付金具６６をパネル裏板部材６３に形成される取付孔７８にネジ７９で固定する。そしてパネル取付金具６６が収納庫本体６０の側板９１の内側に当接し、該収納庫本体６０の側板９１の外側に押さえ板６７を当接し、該押さえ板６７をパネル取付金具６６にネジ６８で固定して、収納庫本体６０の側板９１をパネル取付金具６６と押さえ板６７とで挟持するように固定する。これにより、収納庫前面パネル６１と収納庫本体６０とが一体となる。その後収納庫本体６０の側板９１のガイド部材取付孔９３にガイド部材６５を装着する。これにより引き出し型収納庫５が完成する。
【００３０】
そして、ビルトイン式コンロ１の前面側から取付アングル４に配設されるガイド部材１７と収納庫本体６０の側板９１に配設されるガイド部材６５を係合して取付アングル４内の収納スペースに収納する。
【００３１】
収納スペースに引き出し型収納庫５を収納すると、操作パネル６の下辺及び電池ケース１５の飾り板３４の下辺が引き出し型収納庫５の前面パネル６１の上辺にほぼ一致するように寸法設計されており、このため電池ケース１５の飾り板３４は操作パネル６の切り欠き及び引き出し型収納庫５の前面パネル６１の上辺の囲まれた状態となる。従って、この状態では電池ケース１５の底板３０に形成される開口部４９に指先を掛けることができず、電池ケース１５を引き出すことができない。
【００３２】
このような電池ケース１５及び電池ケース収納部材５０を有するビルトイン式コンロ１において、電池を交換等する手順は以下の通りである。まず、引き出し型収納庫５を手前に引き出す。電池ケース収納部材５０の底板には切り欠き５５が形成されていることから、電池ケース１５の底板３０の開口部４９が露出する。そして電池ケース１５の底板３０に形成される手掛け（側板３１の切り欠き３８及び底板３０の開口部４９）に指先を挿入し、飾り板３４の裏面に指をかけて電池ケース１５を手前に引き出す。これにより電池ケース１５はバーナ本体部２から引き出され、電池の交換等が可能となる。
【００３３】
電池ケース１５は、弾性係合部４５に形成される係合片４６が電池ケース収納部材５０の側板に形成される開口部５３の前方側の一端に当接する位置まで引き出すことができる。したがって、係合片４６と開口部５３の一端とが当接する状態において電池ケース１５が電池の交換等が可能な位置まで引き出すことができるように係合片４６及び開口部５３の位置・寸法が定められる。なお、係合片４６と開口部５３の一端とが当接すると、それ以上電池ケース１５を引き出すことはできず、電池ケース１５が電池ケース収納部材５０から抜け落ちることが防止される。
【００３４】
このように構成されたビルトイン式コンロ１によれば、電池ケース１５の飾り板３４の前面及び操作パネル６に電池ケース１５を引き出すための手掛け部などの構造物を形成する必要がないため、外観上シンプルな見栄えを呈する。また、電池ケース１５の飾り板３４の前面と操作パネル６の前面とが面一に形成され、かつ電池ケース１５の飾り板３４の周囲には隙間が生じないため、美観の向上を図ることができる。更に、電池ケース１５の形状はシンプルな箱形であり、一体に形成されるため、製造コストの低廉化を図ることもできる。そして、電池ケース１５を引き出すための手掛け部は電池ケース１５の底板３０に形成され、普段は引き出し型収納庫５の前面パネル６１により覆われているため、子供がいたずらするなど不用意に引き出されることを防止できる。なお、引き出し型収納庫５を引き出すことにより電池ケース１５を引き出すことが可能となるため、電池の交換などに際して不便となることはない。
【００３５】
以上、本発明の実施の形態について説明したが、本発明は上記の実施の形態に何ら限定されるものではなく、本発明の趣旨を逸脱しない範囲で様々な改変が可能であることは言うまでもない。例えば適用される対象は電池ケースに限られず、また、ビルトイン式コンロの他テーブルコンロなどにも適用できる。また、電池ケース収納部材５０についても、電池ケース１５を収納可能であれば前記実施例に示した形状に限られることはなく、また、別個独立に形成して操作パネル６の裏面に装着するもののほか、操作パネルに一体に形成される構成であっても良い。
【００３６】
【発明の効果】
以上説明したように本願請求項１に記載の発明によれば、電池ケースを引き出す際の手掛け部を電池ケースの底板に形成することにより、飾り板の前面に手掛けを形成する必要がなく、また操作パネルの前面にも電池ケースを引き出すための構造物を配設する必要がないため、外観上の美観を向上させることができることに加え、電池ケースの構造及び操作パネルの構造を単純化できるため、製造コストの上昇を招くことがない。
【００３７】
また、引き出し型収納庫を収納スペースに収納した状態では、電池ケースの手掛け部が引き出し型収納庫の前面パネルに隠されて電池ケースを引き出すことができないため、不用意に電池ケースが引き出されることがなく、子供のいたずらなどを防止することができる。この場合、電池ケースを引き出すためには引き出し型収納庫を引き出す以外に特別の操作は不要であり、電池の交換等において不便を生じさせることがない。
【図面の簡単な説明】
【図１】本発明に係るビルトイン式コンロの外観斜視図である。
【図２】本発明に係るビルトイン式コンロに配設される電池ケースの外観斜視図であり、（ａ）は後方上面側から見た図、（ｂ）は前方上面側から見た図、（ｃ）前方下面側から見た図である。
【図３】電池ケース収納部材及び電池ケースの外観斜視図である。
【図４】本発明に係るビルトイン式コンロの下部に配設される引き出し型収納庫の外観斜視図である。
【図５】図４に示した収納庫の分解斜視図である。
【図６】図４及び図５に示したモール部材を拡大して示した外観斜視図である。
【図７】収納庫本体に前面パネルを取り付けるパネル取付金具と引き出し型収納庫本体との組み付け構造を示した分解斜視図である。
【符号の説明】
１５  電池ケース
３０  電池ケースの底板
３１  電池ケースの側板
３２  電池ケースの後板
３３  電池ケースの前板
３４  電池ケースの飾り板
３５  電池ケースの仕切り板
３６  電池ケースのガイド部材
３８  側板の切り欠き
４５  弾性係合部材
４６  係合片
４７  補強部材
４８  底板の切り欠き
４９  底板の開口部
【図１】
2004286274.tif 000003
【図２】
2004286274.tif 000004
【図３】
2004286274.tif 000005
【図４】
2004286274.tif 000006
【図５】
2004286274.tif 000007
【図６】
2004286274.tif 000008
【図７】
2004286274.tif 000009